(57)【要約】【課題】ランプ構造の光学的な性能や見栄えに影響を与えることなく、乾燥剤を用いてレンズ内表面の結露を抑制することができるランプ用乾燥剤ケースおよびそれを備えたランプ構造を提供する。【解決手段】ランプ用乾燥剤ケース６は、光を出射する光源２と、前記光源がソケット５を介して取り付けられるハウジング３と、前記ハウジングの前面に設けられたアウターレンズ４とを備えたランプ構造に取付けられるランプ用乾燥剤ケース６であって、前記ハウジングの外側に配置された、ソケット後部に取り付けられるケース本体６１，６２と、前記ケース本体の内部に収納された乾燥剤７とを備え、前記ハウジングの光源を収納する収容空間Ａ１と前記ケース本体の内部空間Ａ２とが、ソケット５に形成された連通孔５Ｂ２によって連通している。【選択図】図２
2014089928.tif 000002
【特許請求の範囲】
【請求項１】
光を出射する光源と、前記光源がソケットを介して取り付けられるハウジングと、前記ハウジングの前面に設けられたアウターレンズとを備えたランプ構造に取付けられるランプ用乾燥剤ケースであって、
前記ハウジングの外側に配置された、ソケット後部に取り付けられるケース本体と、前記ケース本体の内部に収納された乾燥剤とを備え、
前記ハウジングの光源を収納する収容空間と前記ケース本体の内部空間とが、ソケットに形成された連通孔によって連通していることを特徴とするランプ用乾燥剤ケース。
【請求項２】
前記ケース本体は、第１のケース本体と、第２のケース本体と、前記第１のケース本体と第２のケース本体とを連結するヒンジとを備え、
前記ヒンジを中心に、前記第１のケース本体と前記第２のケース本体とを閉じ、ソケット後部を挟持することにより、前記ケース本体がソケット後部に取り付けられることを特徴とする請求項１に記載されたランプ用乾燥剤ケース。
【請求項３】
前記乾燥剤が、吸収した水分を放出することによって再生する乾燥剤で構成され、前記ケース本体には、外部と連通する開口部と、前記開口部を開閉する開閉扉と、前記開閉扉を開閉動作させる開閉機構とが設けられ、
前記ケース本体の内部の温度が所定温度以上に上昇すると前記開口部を開放し、前記乾燥剤が吸収した水分を外部に放出し、前記ケース本体の内部の温度が所定温度以下に低下すると前記開口部を閉塞し、前記ケース本体の内部の水分が前記乾燥剤によって吸収されることを特徴とする請求項１または請求項２に記載されたランプ用乾燥剤ケース。
【請求項４】
前記開閉機構は棒状の形状記憶合金からなり、前記ケース本体の内部の温度が上昇すると伸長し、前記開閉扉を押し上げ、前記開口部を開放することを特徴とする請求項３に記載されたランプ用乾燥剤ケース。
【請求項５】
前記請求項１乃至請求項４のいずれかに記載されたランプ用乾燥剤ケースが取付けられていることを特徴とするランプ構造。
【発明の詳細な説明】
【技術分野】
【０００１】
本発明は、ランプ用乾燥剤ケースおよびそれを備えたランプ構造に関し、特に、ランプの前面に装着されるレンズの曇りを抑制するための乾燥剤を収容したランプ用乾燥剤ケースおよびそれを備えたランプ構造に関する。
【背景技術】
【０００２】
自動車のランプ構造は、一般的に、正面側に向かって光を出射する光源と、前記光源を収納するハウジングと、前記ハウジングの前面に設けられたレンズとを備えている。
この種のランプの構造は、ハウジングとレンズとによりランプの収容空間が密閉され、ランプの熱によりハウジング内の空気が暖められる。そのため、暖められた空気が、外気によって冷やされたレンズの内表面に接すると、前記空気は冷やされ、空気中の水分がレンズの内表面で結露し、レンズ内表面が曇るという課題があった。
【０００３】
この課題を解決するものとして、例えば、特許文献１においてヘッドランプ構造が提案されている。この特許文献１記載のヘッドランプ構造にあっては、光源からの光を反射させるリフレクタとハウジングの間に、空気を送るファンが設けられ、このファンによってハウジングの内部の空気を換気することにより、空気中の水分がレンズ内表面に結露するのを抑制している。
【０００４】
また前記課題を解決する他の方法として、例えば、特許文献２においてランプ構造が提案されている。この特許文献２記載のランプ構造にあっては、エンジンルームの暖気をレンズ外表面に当てることによって、レンズを暖めてレンズ内表面の結露を抑制している。
【０００５】
しかしながら、特許文献１記載のランプ構造を、リヤコンビネーションランプに適用しようとした際、リフレクタとハウジングの間が狭く、ファンを設けることができないという新たな課題が生じる。
また、特許文献２記載のランプ構造を、リヤコンビネーションランプに適用しようとした際、リヤコンビネーションランプは、車両後部、即ちエンジンルームから離れた位置に配置されているため、エンジンルームからの暖気をレンズ外表面に当てることができないという新たな課題が生じる。
【０００６】
このため、リヤコンビネーションランプのようなランプ構造のレンズ曇り止め対策としては、レンズ内表面に防曇塗料を塗布し、レンズ内表面の結露を抑制することが行われている。しかしながら、前記防曇塗料は高価であり、ランプの製造コストが増加するという課題があった。
【先行技術文献】
【特許文献】
【０００７】
【特許文献１】特開２００４−２５３３２５号公報
【特許文献２】特開平７−１９２５０８号公報
【発明の概要】
【発明が解決しようとする課題】
【０００８】
ところで、レンズ内表面の結露を抑制しつつ、製造コストを抑制する方法として、前記防曇塗料と比較して低価格な乾燥剤を用い、ランプが配置されるハウジング内の湿度を低減させ、レンズ内表面の結露を抑制することが考えられる。
この乾燥剤を用いて、レンズ内表面の結露を抑制するランプ構造を、図５に基づいて説明する。尚、図５は、リヤコンビネーションランプのリフレクタ機能を有するハウジング表面に乾燥剤を設置したランプ構造の例を示す断面模式図である。
【０００９】
このランプ構造１００は、図に示すように、光源としてのランプバルブ１０１と、前記ランプバルブ１０１を収納するハウジング１０２と、前記ランプバルブ１０１の正面側に設けられたアウターレンズ１０４とを備えている。
前記ハウジング１０２の内面には光反射面１０３が形成され、このハウジング１０２は、ランプバルブ１０１から出射された光を正面側（紙面左側）に反射するリフレクタとしても機能する。
【００１０】
また、前記アウターレンズ１０４はハウジング１０２の前面に設けられ、前記アウターレンズ１０４とハウジング１０２によって、ランプバルブ１０１の収納空間が形成される。
また、前記ランプバルブ１０１は、前記ハウジング１０２にソケット１０５を介して取付けられる。このハウジング１０２の下部底面部には乾燥剤１０６が設置される。
【００１１】
このランプ構造１００によれば、前記ハウジング１０２の内部の湿気Ｓは前記乾燥剤１０６によって吸収され、ランプバルブ１０１の収納空間は除湿される。その結果、前記アウターレンズ１０４のレンズ内表面の結露は抑制される。
しかしながら、このランプ構造１００にあっては、アウターレンズ１０４を介して外部から前記乾燥剤１０６が視認され、ランプ構造１００の見栄えが悪いという技術的課題が生じることが考えられる。
【００１２】
また、外部から乾燥剤１０６が視認されないように、ハウジング１０２の内部に乾燥剤１０６を設置したランプ構造２００の例を図６に示す。尚、このランプ構造２００の説明では、図５に示した部材と同一または相当する部材は、同一符号を付して、詳細な説明は省略する。
【００１３】
このランプ構造２００の基本構成は、図５に示したランプ構造１００と同じであるが、図５に示したランプ構造１００と異なり、外部から乾燥剤１０６が視認できない点が異なる。具体的には、ハウジング１０２の底面部に、乾燥剤１０６を収容する収容部１０２Ａが設けられ、前記収容部１０２Ａとランプ収容空間とは、開口部１０２Ｂを介して連通している。
【００１４】
このランプ構造２００によれば、前記ハウジング１０２の内部の湿気は前記収容部１０２Ａの開口部１０２Ｂを介して前記乾燥剤１０６によって吸収され除湿されるため、前記アウターレンズ１０４のレンズ内表面の結露を抑制することができる。また、乾燥剤１０６が収容部１０２Ａ内に収容されるため、外部から視認されず、ランプ構造２００の見栄えも良い。
【００１５】
しかしながら、このランプ構造２００では、前記収容部１０２Ａを設けなければならず、その収容部１０２Ａによって、ハウジング内表面の光反射面１０３の形状が変化し、光学的な反射性能が変化してしまうという技術的課題が考えられる。また、前記収容部１０２Ａが形成されることにより、ハウジング１０２が大型化し、ランプ構造２００全体が大型化するという技術的課題が考えられる。
【００１６】
本発明は、上記技術的課題を解決するためになされたものであり、ランプ構造の光学的な性能や見栄えに影響を与えることなく、乾燥剤を用いてレンズ内表面の結露を抑制することができるランプ用乾燥剤ケースおよびそれを備えたランプ構造を提供することを目的とする。
【課題を解決するための手段】
【００１７】
上記技術的課題を解決するためになされた本発明にかかるランプ用乾燥剤ケースは、光を出射する光源と、前記光源がソケットを介して取り付けられるハウジングと、前記ハウジングの前面に設けられたアウターレンズとを備えたランプ構造に取付けられるランプ用乾燥剤ケースであって、前記ハウジングの外側に配置された、ソケット後部に取り付けられるケース本体と、前記ケース本体の内部に収納された乾燥剤とを備え、前記ハウジングの光源を収納する収容空間と前記ケース本体の内部空間とが、ソケットに形成された連通孔によって連通していることを特徴としている。
【００１８】
このような本発明にかかるランプ用乾燥剤ケースによれば、ハウジングの外側に配置された、ソケット後部に取り付けられるケース本体と、前記ケース本体の内部に収納された乾燥剤とを備え、前記ハウジングの光源を収納する収容空間と前記ケース本体の内部空間とが、ソケットに形成された連通孔によって連通しているため、前記ハウジングの収容空間内の水分を、ケース本体の内部に収納された乾燥剤が吸収できるので、ハウジングの収容空間内の湿度を減少させ、アウターレンズ内表面の結露を抑制することができる。
また、本発明にかかるランプ用乾燥剤ケースによれば、ケースがハウジングの外側に配置されたソケット後部に取り付けられ、しかもケース内に収容された乾燥剤を用いてレンズ内表面の結露を抑制するため、ランプ構造の外観や光学的な性能に影響を与えることもない。
尚、乾燥剤は、吸収した水分を放出しない再生不可能な乾燥剤、あるいは吸収した水分を放出することによって再生可能な乾燥剤であっても良い。但し、長期間の使用を考慮した場合、再生可能な乾燥剤であるのが好ましい。
【００１９】
ここで、前記ケース本体は、第１のケース本体と、第２のケース本体と、前記第１のケース本体と第２のケース本体とを連結するヒンジとを備え、前記ヒンジを中心に、前記第１のケース本体と前記第２のケース本体とを閉じ、ソケット後部を挟持することにより、前記ケース本体がソケット後部に取り付けられることが望ましい。
このように、前記第１のケース本体と前記第２のケース本体とを閉じ、ソケット後部を挟持することにより、前記ケース本体がソケット後部に取り付けられるため、既存のランプ構造に対してランプ用乾燥剤ケースを容易に取付けることができる。また同様に、容易に取外すことができ、新しいランプ用乾燥剤ケースの交換、並びに新しい乾燥剤の交換も容易になすことができる。
【００２０】
また、前記乾燥剤が、吸収した水分を放出することによって再生する乾燥剤で構成され、前記ケース本体には、外部と連通する開口部と、前記開口部を開閉する開閉扉と、前記開閉扉を開閉動作させる開閉機構とが設けられ、前記ケース本体の内部の温度が所定温度以上に上昇すると前記開口部を開放し、前記乾燥剤が吸収した水分を外部に放出し、前記ケース本体の内部の温度が所定温度以下に低下すると前記開口部を閉塞し、前記ケース本体の内部の水分が前記乾燥剤によって吸収されることが望ましい。
【００２１】
このような構成によれば、前記ケース本体の内部の温度が所定温度以上に上昇した際、前記開口部を開放し、前記乾燥剤が吸収した水分を外部に放出できるため、乾燥剤を長期間に亘って用いることができ、乾燥剤を交換する手間を削減することができる。
一方、前記ケース本体の内部の温度が所定温度以下に低下した際、前記開口部を閉塞し、前記ケース本体の内部の水分を前記乾燥剤によって吸収できるため、雨天などの場合にケース本体への湿気の侵入を抑制でき、ハウジング内の湿度の低減を図り、アウターレンズ内表面の結露を抑制することができる。
【００２２】
また、前記開閉機構は棒状の形状記憶合金からなり、前記ケース本体の内部の温度が上昇すると伸長し、前記開閉扉を押し上げ、前記開口部を開放することが望ましい。
このような開閉機構によれば、開閉扉を電力などのエネルギーを用いることなく、開閉することができる。
【００２３】
上記技術的課題を解決するためになされた本発明にかかるランプ構造は、前記ランプ用乾燥剤ケースが取付けられていることを特徴としている。
このような構成によれば、ランプ構造は、前述したランプ用乾燥剤ケースを備えているので、乾燥剤を用いてレンズ内表面の結露を抑制することができ、ランプ構造の外観や光学的な性能に影響を与えることもない。
【発明の効果】
【００２４】
本発明によれば、ランプ構造の外観や光学的な性能に影響を与えることなく、乾燥剤を用いてレンズ内表面の結露を抑制することができる、ランプ用乾燥剤ケースおよびそれを備えたランプ構造を得ることができる。
【図面の簡単な説明】
【００２５】
【図１】図１は、本発明の一実施形態にかかるランプ構造を示す断面模式図である。
【図２】図２は、図１のランプ用乾燥剤ケースを示す斜視図である。
【図３】図３は、図１のランプ用乾燥剤ケースを開閉させた状態を示す模式図であって、（Ａ）はランプ用乾燥剤ケースを開いた状態を示す図、（Ｂ）は、ランプ用乾燥剤ケースを閉じた状態を示す図である。
【図４】図４は、ランプ用乾燥剤ケースに設けられた開閉扉の開閉状態を示す断面模式図であって、（Ａ）は開閉扉を開いた状態を示す図、（Ｂ）は開閉扉を閉じた状態を示す図である。
【図５】ハウジングの内底面に乾燥剤が設置されたランプ構造の例を示す断面模式図である。
【図６】ハウジングの設けられた収容部内部に乾燥剤が設置されたランプ構造の例を示す断面模式図である。
【発明を実施するための形態】
【００２６】
以下、本発明の一実施形態にかかるランプ用乾燥剤ケースおよびそれを備えたランプ構造について、図１乃至図４に基づいて説明する。
図１に示すように、このランプ構造１は、正面側に光を出射する光源としてのランプバルブ２と、前記ランプバルブ２を収納するハウジング３と、前記ランプバルブ２の正面側に設けられたアウターレンズ４とを備えている。
【００２７】
前記ハウジング３の内表面には光反射面３ａが形成され、このハウジング３は、前記ランプバルブ２を収容する筐体として機能を有するのみならず、前記ランプバルブ２から出射された光を正面側（紙面左側）に向かって反射させるリフレクタとしての機能も有する。
また、前記アウターレンズ４はハウジング３の前面に設けられ、前記アウターレンズ４とハウジング３によって、ランプバルブ２の収容空間Ａ１が形成される。
【００２８】
前記ハウジング３にはソケット５が取付けられ、前記ランプバルブ２は、前記ハウジング３に取付けられたソケット５を介してハウジング３に取付けられる。
このソケット５の一端部には、図１、２に示すように、ランプバルブ２の端子部が接続される端子部（図示せず）が内部に設けられた嵌合孔５Ｂ１が設けられている。
またソケット５の他端部側には、前記ランプバルブ２に電力を供給するための接続線５Ａが取付けられ、ソケット５に取付けられたランプバルブ２は電源部（図示せず）に接続される。
更に、前記嵌合孔５Ｂ１の上下には、前記ランプバルブ２の収容空間Ａ１と、ハウジング３の外側とを連通する通気孔５Ｂ２が形成されている。
【００２９】
また、図２に示すように、前記ハウジング３の背面側には、ソケット５の外周囲を覆うようにランプ用乾燥剤ケース６が取付けられている。
また、前記ランプ用乾燥剤ケース６内には、乾燥剤７が収容されている。尚、前記乾燥剤７としては、所定量の水分を吸収して寿命が終了する乾燥剤を用いることができるが、空気中の水分を吸収し、所定の条件下（例えば、所定の温度以上）で前記吸収した水分を放出し、初期の状態に戻る再生可能な乾燥剤を用いることがより望ましい。
【００３０】
このランプ用乾燥剤ケース６は、前記ソケット５の一側（ソケット５の右側）に設けられた第１のケース本体６１と、前記ソケット５の他側（ソケット５の左側）に設けられた第２のケース本体６２とから構成されている。
また第１のケース本体６１の上面の第２のケース本体側端部と、第２のケース本体６２の上面の第１のケース本体側端部とを連結するヒンジ６３が設けられ、前記ヒンジ６３を中心に、第１のケース本体６１と前記第２のケース本体６２が開閉可能に構成されている。
【００３１】
また、第１のケース本体６１の下面部には、雄型の２つの留め具８ａ，８ｂ，が設けられている。また前記第２のケース本体６２の下面部には、雌型の２つの留め具９ａ，９ｂが設けられている。
この雄型の留め具８ａ、８ｂは、先端部に係止部８ａ１，８ｂ１が設けられ、前記係止部８ａ１，８ｂ１が雌型の留め具９ａ、９ｂに形成された貫通孔９ｂ１，９ｂ２を挿通し、雌型の２つの留め具９ａ，９ｂの端面に係止されることにより、固定される。
即ち、留め具８ａと留め具９ａ、留め具８ｂと留め具９ｂとが係合することにより、第１のケース本体６１と前記第２のケース本体６２とが一体化される。
【００３２】
また、第１のケース本体６１には内部空間が形成され、一方、第２のケース本体６２にも内部空間が形成され、前記第１のケース本体６１と前記第２のケース本体６２とを組み合わせた状態において、前記一つの内部空間Ａ２が形成される。この内部空間Ａ２は、前記通気孔５Ｂ２を介して、ランプバルブ２の収容空間Ａ１と連通している。
そして、この内部空間Ａ２内にランプ用乾燥剤７が収容される。尚、図２では、第１のケース本体６１内に前記ランプ用乾燥剤７が収容されている場合を示している。
【００３３】
また、図３に示すように、前記第１のケース本体６１の前面部６１ａがコ字状に開口している。そして、前記前面部６１ａには、図３に示すように、正面視上コ字状のパッキン１０ａが取付けられる。またこのパッキン１０ａは、図４に示すように、前面部６１ａの内周面に接して取り付けられるように、断面（前記正面視と直交する断面）がＬ字状に形成されている。
また、前記第１のケース本体６１の後面部６１ｂが半円形状に開口し、前記開口の内周縁には、半円筒状のパッキン１０ｂが取付けられている。
【００３４】
同様に、前記第１のケース本体６２の前面部６２ａがコ字状に開口している。そして、前記前面部６２ａには、図３に示すように、正面視上コ字状のパッキン１１ａが取付けられる。またこのパッキン１１ａは、上記したパッキン１０ａと同様に、前面部６２ａの内周面に接して取り付けられるように、断面（前記正面視と直交する断面）がＬ字状に形成されている。
また、前記第１のケース本体６２の後面部６２ｂが半円形状に開口し、前記開口の内周縁には、半円筒状のパッキン１１ｂが取付けられている。
【００３５】
そして、前記第１のケース本体６１と前記第２のケース本体６２とを組み合わせる（閉じる）ことにより、前記第１のケース本体６１の前面部６１ａのコ字状のパッキン１０ａと、前記第２のケース本体６２の前面部６２ａのコ字状のパッキン１１ａとが当接し、一つの矩形孔６４ａが形成される。
同様に、前記第１のケース本体６１と前記第２のケース本体６２とを組み合わせる（閉じる）ことにより、前記第１のケース本体６１の後面部６１ｂの半円筒状のパッキン１０ｂと、前記第２のケース本体６２の後面部６２ｂの半円筒状のパッキン１１ｂとが当接し、一つの円形孔６４ｂが形成される。
【００３６】
前記矩形孔６４ａは、ハウジング３の背面より突出したソケット５を挟持することにより、ソケット５にランプ用乾燥剤ケース６を取付ける孔である。
具体的には、第１のケース本体６１と第２のケース本体６２とを開いた状態から閉じることにより、第１のケース本体６１の前面部６１ａのコ字状のパッキン１０ａと、前記第２のケース本体６２の前面部６２ａのコ字状のパッキン１１ａとの間に、ハウジングの背面より突出したソケット５を挟み込む。これによって、ランプ用乾燥剤ケース６はソケット５に取り付けられる。この際、コ字状のパッキン１０ａ、１１ａの前面は、ソケット５の鍔部５Ｃの背面に当接して取り付けられるため、ランプ用乾燥剤ケース６はソケット５に、確実に取り付けられる。
尚、第１のケース本体６１と第２のケース本体６２を閉じた際、前記した留め具８ａと留め具９ａ、留め具８ｂと留め具９ｂとが結合し、一体化されるため、第１のケース本体６１と第２のケース本体６２とが、再び開いた状態になることはない。
【００３７】
前記円形孔６４ｂは、ソケット５から導出された接続線５Ａを導出する孔である。
具体的には、第１のケース本体６１の後面部６１ｂの半円筒状のパッキン１０ｂと、前記第２のケース本体６２の後面部６２ｂの半円筒状のパッキン１１ｂとの間に、前記接続線５Ａを挟み込むことにより、ランプ用乾燥剤ケース６から導出される。
【００３８】
このように、このランプ用乾燥剤ケース６は、第１のケース本体６１と第２のケース本体６２とを開いた状態から閉じることにより、ハウジングの背面より突出したソケット５に容易に取付けことができる。
また、前記留め具８ａと留め具９ａ、留め具８ｂと留め具９ｂとの係合を解除することにより、第１のケース本体６１と第２のケース本体６２とを、再び開いた状態になすことができ、容易に取り外すことができる。
即ち、ハウジング３に既に取付けられたソケット５に対しても、容易に取外すことができるため、ランプ用乾燥剤ケース６の交換、並びに乾燥剤の交換も容易になすことができる。
【００３９】
また、前述したように、前記ソケット５には、通気孔５Ｂ２，５Ｂ２が形成され、この通気孔５Ｂ２を介して前記ハウジング３の内部空間Ａ１と、前記第１のケース本体６１と前記第２のケース本体６２とによって形成される内部空間Ａ２が連通している。
しかも、第１のケース本体６１と第２のケース本体６２には、パッキン１０ａ，１０ｂ，１１ａ，１１ｂが設けられ、内部空間Ａ２を密閉状態になされるため、前記ランプバルブ２の収容空間Ａ１の水分を乾燥剤７によって、吸収することができる。
【００４０】
更に、前記第１のケース本体６１の上面には、図２、４に示すように、矩形状の開口部１２が形成されると共に、前記開口部１２を閉塞する開閉扉１３を開閉する開閉機構１４とが設けられている。
この開閉機構１４は形状記憶合金からなり、一端部が形状記憶合金を収納する収納部１５の底面に接し、他端部が開閉扉部１３に接するように配置されている。そして、開閉機構１４の自己の伸縮を利用して、前記開閉扉１３の開閉を行うように構成されている。
【００４１】
そして、ランプバルブ２の収容空間Ａ１の温度が高くなると、前記通気孔５Ｂ２を介して収容空間Ａ１内の空気が内部空間Ａ２に侵入し、内部空間Ａ２の内部の温度が高くなる。この温度上昇によって、図４（Ａ）に示すように、前記開閉機構１４は伸長し、所定温度以上になると前記開閉扉１３が開放される。
これに対して、前記内部空間Ａ２の内部の温度が低くなると、図４（Ｂ）に示すように、前記開閉機構１４は元の長さあるいは収縮し、所定温度以下になると前記開閉扉１３が閉じられる。
即ち、前記開閉扉１３が閉じた状態にあっては、前記内部空間Ａ２は密閉され、一方、前記開閉扉１３が開いた状態にあっては、前記内部空間Ａ２は外部と連通する。
【００４２】
このように、前記開閉機構１４は、前記内部空間Ａ２（収容空間Ａ１）の内部の温度が所定温度以上になると前記開口部１２が開放され、前記乾燥剤７は吸収した水分を効率的に外部に放出することができる。
また、前記開閉機構１４は、前記内部空間Ａ２（収容空間Ａ１）の内部の温度が所定温度以下になると前記開口部１２が閉塞されるので、雨天等の高湿度の環境下でも、前記内部空間Ａ２（収容空間Ａ１）への湿気の侵入を防止することができ、また前記乾燥剤７によって内部空間Ａ２（収容空間Ａ１）内の水分を効率的に吸収することができる。
【００４３】
以上のように、乾燥剤７がランプ用乾燥剤ケース６の内部に収納されるので、前記アウターレンズ４のレンズ内表面の結露を抑制することができる。
また、前記ランプ用乾燥剤ケース６は、ハウジング３の外に配置されたソケット５の後部に取り付けられるため、前記ランプ構造１の外観や光学的な性能に影響を与えることもない。
更に、ハウジング３に既に取付けられたソケット５に対しても、容易に取り付けることができ、しかも容易に取外すことができるため、ランプ用乾燥剤ケース６の交換、並びに乾燥剤の交換も容易に行うことができる。
【００４４】
尚、前記実施形態では、前記開閉機構１４として、形状記憶合金から構成される場合を例にとって説明したが、これに限定されることなく、サーモスタット等の温度変化により伸縮する他の機構を採用しても良い。
【００４５】
また、前記実施形態では、再生可能な乾燥剤を用いた場合について説明したが、上記したように吸収した水分を放出することなく寿命を終える乾燥剤であっても良い。この場合、ランプ用乾燥剤ケース６には、前記開口部１２と前記開閉機構１４とを設ける必要はない。
また、前記実施形態では、ハウジングとして、内表面に光反射面が形成されたハウジングを例にとって説明したが、別にリフレクタを設け、ハウジングに光反射面を形成しない場合であっても良い。
【符号の説明】
【００４６】
１                ランプ構造
２                ランプバルブ（光源）
３                ハウジング
４                アウターレンズ
５                ソケット
５Ｂ２            通気孔
５Ｃ              ソケット鍔部
６                ランプ用乾燥剤ケース
６１              第１のケース本体
６１ａ            前面部
６１ｂ            後面部
６２              第２のケース本体
６２ａ            前面部
６２ｂ            後面部
７                乾燥剤
８ａ，８ｂ        雄型留め具
９ａ，９ｂ        雌型留め具
１０ａ，１１ａ    コ字状のパッキン
１０ｂ，１１ｂ    半円形状のパッキン
１２              開口部
１３              開閉扉
１４              開閉機構
１５              収容部
Ａ１              収容（内部）空間
Ａ２              内部空間
【図１】
2014089928.tif 000003
【図２】
2014089928.tif 000004
【図３】
2014089928.tif 000005
【図４】
2014089928.tif 000006
【図５】
2014089928.tif 000007
【図６】
2014089928.tif 000008